(57)【特許請求の範囲】
【請求項１】
ベースとアームやアームと灯具との間の連結に用いられて一方の部材に対して他方の部材を回動自在とする自在継手であって、一方の部材に固定されたヒンジ体と、他方の部材に固定されるとともに上記ヒンジ体の両面に摩擦接触するヒンジ金具と、ヒンジ体に対してヒンジ金具を回転自在とする軸とからなり、ヒンジ体には円弧状の長孔が設けられ、ヒンジ金具によって保持されたストッパー軸が長孔に挿通されてヒンジ体に対するヒンジ金具の回転で長孔内をストッパー軸が移動自在となっており、ヒンジ体に取り付けられている板ばねは、その屈曲部を長孔の一端付近のストッパー軸の通過部に位置させて長孔の一端まで移動したストッパー軸をクリック位置決めするものであることを特徴とする照明器具用自在継手。
【発明の詳細な説明】
【０００１】
【産業上の利用分野】
本発明は照明器具における灯具の位置や照射方向を変更するための自在継手に関するものである。
【０００２】
【従来の技術】
ベースによって支持したアームの先端に灯具を取り付けたスタンド型照明器具などにおいては、ベースとアームとの連結やアーム先端への灯具の連結に自在継手を用いて、灯具の位置を可変としたり照射方向を可変としているが、一方に対して一軸の回りにのみ他方を回動自在としている自在継手として、図７及び図８に示すものがある。
【０００３】
この自在継手３は、ベース４とアーム２とを連結しているもので、ベース４にビス止め固定されたＵ字形のヒンジ金具３０と、軸方向に２分割されたものとして形成されてアーム２の一端に固定される円盤状のヒンジ体３１と、ヒンジ金具３０内にヒンジ体３１を配した状態でヒンジ金具３０とヒンジ体３１とアーム２とを貫通するねじ軸３２とから構成され、灯具が先端に取り付けられるアーム２は、ヒンジ金具３０及びこのヒンジ金具３０が固定されたベース４に対して、ねじ軸３２を中心に回動自在となるとともに、ヒンジ金具３０内面とヒンジ体３１の両面との間に働く摩擦力によって、灯具及びアーム２は任意位置で止まるようになっている。図中５９はがたつきを防ぐためにヒンジ体３１を押し上げている板ばねである。
【０００４】
そして、上記自在継手３では、ヒンジ金具３０に対するアーム２の回動範囲の規制が、ヒンジ体３１の両面から突設した突起５５を、ヒンジ金具３０の両側片の周縁部に設けた切欠５６に位置させることでなされており、またヒンジ金具３０に対するアーム２の所定位置でのクリック位置決めが、コイルばね５１によって付勢されて一部がヒンジ体３１の表面に突出するボール５０と、ヒンジ金具３０内面に形成されて上記ボール５０が嵌まる凹部（図示せず）とによってなされている。
【０００５】
【発明が解決しようとする課題】
この場合、上記回動範囲の規制手段と、クリック位置決めのための手段が互いに別構成となっているために、この点でコストが高くなっている上に、またコイルばね５１で付勢したボール５０をヒンジ体３１に組み込むことが困難で組立性がよくない。
【０００６】
本発明はこのような点に鑑み為されたものであり、その目的とするところは回動範囲の規制及びクリック位置決めを簡便に行うことができて、コストダウン及び組立性の向上を図ることができる照明器具用自在継手を提供するにある。
【０００７】
【課題を解決するための手段】
しかして本発明は、ベースとアームやアームと灯具との間の連結に用いられて一方の部材に対して他方の部材を回動自在とする自在継手であって、一方の部材に固定されたヒンジ体と、他方の部材に固定されるとともに上記ヒンジ体の両面に摩擦接触するヒンジ金具と、ヒンジ体に対してヒンジ金具を回転自在とする軸とからなり、ヒンジ体には円弧状の長孔が設けられ、ヒンジ金具によって保持されたストッパー軸が長孔に挿通されてヒンジ体に対するヒンジ金具の回転で長孔内をストッパー軸が移動自在となっており、ヒンジ体に取り付けられている板ばねは、その屈曲部を長孔の一端付近のストッパー軸の通過部に位置させて長孔の一端まで移動したストッパー軸をクリック位置決めするものであることに特徴を有している。
【０００８】
【作用】
本発明によれば、ストッパー軸が回動範囲の規制のための部材としてだけでなく、板ばねとの間でクリック位置決めのための部材としても機能する。
【０００９】
【実施例】
以下本発明を図示の実施例に基づいて詳述すると、図示例における自在継手３は、図２に示すように、ベース４とアーム２と灯具１とからなる照明器具におけるベース４とアーム２一端との連結部及びアーム２他端と灯具１との連結部に夫々用いられているもので、ベース４は重りを内蔵した円盤部４０と、円盤部４０の上面中央から立ち上がる円筒状の本体部４１とから構成され、灯具１は灯具本体１０とこの灯具本体１０内に配されたソケット１１に接続されるランプ１２、そしてランプ１２を囲む円筒状のセード１３で構成されている。そして、ベース４の本体部４０の側面にアーム２の基端が自在継手３を介して回動自在に連結されており、アーム２の先端に灯具１が自在継手３を介して回動自在に連結されている。
【００１０】
ここにおける上記両自在継手３，３は同じ構造を持つもので、アーム２先端と灯具１とを連結している自在継手３の場合について説明すると、これは図３及び図４に示すように、アーム２の先端に固着されるヒンジ体３１と、灯具１側に固定されるコ字形のヒンジ金具３０と、灯具１の二つ割りで形成された灯具本体１０に一体に形成されているヒンジカバー３６，３６と、つまみ３８に頭部が固着されているとともに、上記各部材の中央を貫通してつまみ３９にねじ込まれるねじ軸３２とからなるもので、ヒンジ金具３０の内側に配されるヒンジ体３１は、円弧状の長孔３４を周部に有するとともに、板ばね３７が一面に取り付けられている。また、ヒンジ金具３０を貫通するストッパー軸３５が、ヒンジ体３１における上記長孔３４を通過している。
【００１１】
しかして、この自在継手では、アーム２に固定されたヒンジ体３１に対して、灯具１側の部材であるヒンジカバー３６，３６とヒンジ金具３０とがねじ軸３２を中心に回動自在となっているとともに、ねじ軸３２の締め付けでヒンジ金具３０内面とヒンジ体３１両面との間に働く摩擦力によって、灯具１が任意位置で止められるものであり、またアーム２に対する灯具１の回り過ぎを防ぐための回動範囲の規制が、長孔３４とストッパー軸３５とによってなされる。さらに、灯具１を回動させてアーム２に添うようにした時には、クリック位置決めがなされるようになっているのであるが、このクリック位置決めは、図１から明らかなように、ストッパー軸３５がヒンジ体３１の長孔３４の一端付近に位置している上記板ばね３７の自由端側の屈曲部を乗り越えて長孔３４の一端まで移動することによってなされる。またクリック音の発生は、ストッパー軸３５によって押されることで撓んだ板ばね３７が、ストッパー軸３５の通過に伴って復帰する際にストッパー軸３５に当たって長孔３４の一端に当接させることによって生じる。
【００１２】
そして、上述のように、ベース４とアーム２とを連結している自在継手３も同じ構造であり、アーム２側にヒンジ体３１を、ベース４側にヒンジ金具３０及びヒンジカバー３６を設けて構成している。なお、ベース４とアーム２とを連結している自在継手３は、アーム２が上方を向いた時にクリック位置決めがなされるように構成してある。これは、図２（ｂ）に示すように、ベース４の円筒状の本体４０に、円筒状をなしている灯具１を一直線状に連続させることができるようにするとともに、運搬に適する形態であり且つ間接照明となる照明を行うことになるこの状態の時に、クリック位置決めがなされるようにしているためである。アーム２を円弧状に湾曲させているのは、アーム２と灯具１との間の隙間を広くして、アーム２を持つ手が灯具１に当たらないようにするためである。ここではアーム２側にヒンジ体３１を、灯具１側にヒンジ金具３０を設けたものを示したが、アーム側３１にヒンジ金具３０を、灯具１やベース４側にヒンジ体３１を設けてもよいのはもちろんである。
【００１３】
灯具１における灯具本体１０は、図５に示すように、二つ割りで形成されており、互いに半円筒状であるとともにカバー３６，３６が夫々一体に形成されている各半体１０ａ，１０ｂは、半体１０ａから突設した鍵爪１４を他方の半体１０ｂに設けた爪受け（図示せず）に係止させることによって、分離しないように組み合わされ、更に半体１０ａ内面にビス止めした取付金具１６と、半体１０ｂ内面にビス止めした取付金具１７とを重ねて、これにソケット１１をビス止めすることで、両半体１０ａ，１０ｂの開き止めを行うと同時に、半体１０ａに対して半体１０ｂが前方にスライドすることを、つまりは爪受けから鍵爪１４が抜けることを防いでいる。図５中の１９は反射板である。
【００１４】
【発明の効果】
以上のように本発明においては、ストッパー軸が長孔とによって回動範囲の規制のための部材として機能するだけでなく、板ばねとの間でクリック位置決めのための部材としても機能するものであり、回動範囲の規制及びクリック位置決めを少ない部品数による簡便な構成で行うことができて、コストダウン及び組立性の向上を図ることができるものである。
【図面の簡単な説明】
【図１】一実施例の動作を示すもので、（ａ）（ｂ）（ｃ）はいずれも断面図である。
【図２】同上の全体構成を示すもので、（ａ）は斜視図、（ｂ）は収納状態の時の斜視図である。
【図３】同上の分解斜視図である。
【図４】同上の横断面図である。
【図５】同上の分解斜視図である。
【図６】同上の灯具の断面図である。
【図７】従来例の分解斜視図である。
【図８】同上の断面図である。
【符号の説明】
３  自在継手
３０  ヒンジ金具
３１  ヒンジ体
３２  ねじ軸
３４  長孔
３５  ストッパー軸
３７  板ばね
【図１】
0003559300.tif 000002
【図２】
0003559300.tif 000003
【図３】
0003559300.tif 000004
【図４】
0003559300.tif 000005
【図５】
0003559300.tif 000006
【図６】
0003559300.tif 000007
【図７】
0003559300.tif 000008
【図８】
0003559300.tif 000009